(57)【要約】【課題】  ヌメリを良好に抑制することができる排水口用蓋を提供する。【解決手段】  排水口１２に覆うように嵌着される蓋本体２と、この蓋本体２に設けられ、排水を蓋本体２の下方に導くためのガイド流部８を有する排水部とからなり、蓋本体２に、ヌメリ取り用薬剤９を収容すると共に排水を流通させる構造のヌメリ取り容器３を取り付け、排水部４を通った排水がガイド流部８を介してヌメリ取り容器３に導かれ、ヌメリ取り用薬剤９を徐々に溶解しつつ排出するように構成したことにより、前記の課題を解決した。【選択図】        図１
2008088764.tif 000002
【特許請求の範囲】
【請求項１】
流し台等の排水口に装着されるヌメリ取り機能を備えた排水口用蓋であって、
前記排水口に覆うように嵌着されるカバー体と、このカバー体に設けられ、排水を前記カバー体の下方に導くためのガイド流部を有する排水部とからなり、前記カバー体の裏面に、内部にヌメリ取り用薬剤を収容させると共に、内部に排水を流通させる構造のヌメリ取り容器を着脱可能に取り付け、前記排水部を通った排水が前記ガイド流部を介して前記ヌメリ取り容器に導かれ、内部に収容したヌメリ取り用薬剤を徐々に溶解しつつ排出するように構成したことを特徴とする、排水口用蓋。
【請求項２】
流し台等の排水口に装着されるヌメリ取り機能を備えた排水口用蓋であって、
前記排水口に嵌着されるリング状の縁部材と、この縁部材の上部に連結部材を介して取り付けられると共に、前記縁部材の上部を覆うカバー体と、このカバー体と前記縁部材との間の前記連結部材が設けられていない箇所に設けられ、排水を前記カバー体の下方に導くためのガイド流部を有する排水部とからなり、前記カバー体の裏面の中央部に、内部にヌメリ取り用薬剤を収容させると共に、内部に排水を流通させる構造のヌメリ取り容器を着脱可能に取り付け、前記排水部を通った排水が前記ガイド流部を介して前記ヌメリ取り容器に導かれ、内部に収容したヌメリ取り用薬剤を徐々に溶解しつつ排出するように構成したことを特徴とする、排水口用蓋。
【請求項３】
前記カバー体に、前記ヌメリ取り容器が挿通されて装着される取付部を設け、この取付部の前記カバー体の表面側の周縁部が、段状に嵌合部として形成され、
前記ヌメリ取り容器が、前記ヌメリ取り用薬剤が詰め替え可能に収容されると共に前記取付部に挿通される収容部と、この収容部の一端部に設けられ、前記嵌合部に嵌合されて前記取付部を閉塞するフランジとからなり、
このヌメリ取り容器の収容部を前記カバー体の取付部に挿通させて前記フランジを前記嵌合部に嵌合させることで、前記ヌメリ取り容器が前記カバー体に垂下支持されるように構成されていることを特徴とする、請求項１又は２に記載の排水口用蓋。
【請求項４】
前記排水部が、半円状に形成されていることを特徴とする、請求項１〜３のいずれか１項に記載の排水口用蓋。
【発明の詳細な説明】
【技術分野】
【０００１】
本発明は、特に流し台等の排水口に装着されるヌメリ取り機能を備えた排水口用蓋に関するものである。
【背景技術】
【０００２】
従来、流し台の排水口用蓋としては、縁部を有する円盤状のゴム板にその中央部から放射状（菊割れ状）に切り込みを入れ複数の弾性舌片を設けたものが知られている。この排水口用蓋は、シンクの底面に開口された排水口（実際には排水口に設けられたストレーナ）に嵌合して縁部を装着することにより、排水口を塞ぐものである。この排水口用蓋は、常時は各弾性舌片が、ほぼ水平に弾性保持されることにより、排水口内に収納されたゴミ収集用の網かごを外部から視認できないように塞ぎ、かつ洗い物などでシンクを使用する際には、排水口に流れ込む水の水圧で各弾性舌片が、先端下向きに撓み、水によって洗い流された残飯や野菜屑などのゴミ等が円滑にストレーナの網かご内に落ちるようになっている。
【０００３】
ところで、流し台を使用していると、排水口の特にストレーナの網かごにヌメリや異臭が発生することが知られている。このヌメリや異臭は、特に網かご内に収集されたゴミ等に付着してこれを栄養源とする細菌から分泌される物質によることが知られている。このため、ヌメリ取り剤をプラスチック製のネットやカゴ状容器に収納し、これをヒモ等により網かご内に吊して、ヌメリを抑制することが提案されている（例えば、特許文献１参照。）。すなわち、網かごの把手にひも等を介してヌメリ取り剤を吊るすことにより、網かごのヌメリを抑制することができるが、しかし、網かご内のゴミを取り出して捨てるときにヌメリ取り剤を入れたネットやカゴ状容器が邪魔となり、ゴミを網かごから取り出し難いという問題があった。
【０００４】
また、流し台の排水口用蓋としては、排水口を閉塞するように装着される円盤状の蓋本体の周縁部近傍にヌメリ取り剤を収容したものが提案されている（例えば、特許文献２、３参照。）。この排水口用蓋は、蓋本体の周縁部近傍の裏面にヌメリ取り剤を収容する収容部が設けられている。蓋本体の周縁部近傍の表面には、水流入孔が設けられ、この水流入孔から水が収容部に流入する。収容部の下部には、排出孔が設けられており、収容部内でヌメリ取り用薬剤を溶解させた水が排出孔から排水口内へ排出される。このように、ヌメリ取り剤が排水口用蓋に収容されているので、排水口内のゴミ、例えば、網かご内のゴミを捨てるのにヌメリ取り剤が邪魔になることがない。
【特許文献１】特開平８−１２８０９０号公報
【特許文献２】特開２００３−４１２９３号公報
【特許文献３】特開２００５−１２７００９号公報
【発明の開示】
【発明が解決しようとする課題】
【０００５】
これらの特許文献２、３に記載された排水口用蓋は、蓋本体の中央部や中央部近傍に水が流れる排水部が設けられており、シンク内に流下した水がシンクから蓋本体の周縁部から排水部に流れて、排水部から排水口内へと流れる。このとき、シンクから蓋本体の周縁部に流れた水の一部が収容部に流れるので、ヌメリ取り用薬剤が溶解した水が排水口へと流れる。しかし、水は、水量にもよるが蓋本体の周縁部全体から均一に排水部に流れることはなく、水が流れやすい箇所と流れにくい箇所ができるので、水が流れ易い箇所に位置される収容部に収容されているヌメリ取り剤の消費量が多くなる。その結果、その箇所のヌメリ取り剤を頻繁に詰め替えないと、ヌメリを抑制することができず、かえって手間がかかる。
【０００６】
本発明は、前記課題を解決するためになされたものであって、その目的は、ヌメリを良好に抑制することができる排水口用蓋を提供することにある。
【課題を解決するための手段】
【０００７】
前記の目的を達成するための本発明に係る排水口用蓋は、流し台等の排水口に装着されるヌメリ取り機能を備えた排水口用蓋であって、前記排水口に覆うように嵌着されるカバー体と、このカバー体に設けられ、排水を前記カバー体の下方に導くためのガイド流部を有する排水部とからなり、前記カバー体の裏面に、内部にヌメリ取り用薬剤を収容させると共に、内部に排水を流通させる構造のヌメリ取り容器を着脱可能に取り付け、前記排水部を通った排水が前記ガイド流部を介して前記ヌメリ取り容器に導かれ、内部に収容したヌメリ取り用薬剤を徐々に溶解しつつ排出するように構成したことを特徴とする。
【０００８】
また、前記の目的を達成するための本発明に係る排水口用蓋は、流し台等の排水口に装着されるヌメリ取り機能を備えた排水口用蓋であって、前記排水口に嵌着されるリング状の縁部材と、この縁部材の上部に連結部材を介して取り付けられると共に、前記縁部材の上部を覆うカバー体と、このカバー体と前記縁部材との間の前記連結部材が設けられていない箇所に設けられ、排水を前記カバー体の下方に導くためのガイド流部を有する排水部とからなり、前記カバー体の裏面の中央部に、内部にヌメリ取り用薬剤を収容させると共に、内部に排水を流通させる構造のヌメリ取り容器を着脱可能に取り付け、前記排水部を通った排水が前記ガイド流部を介して前記ヌメリ取り容器に導かれ、内部に収容したヌメリ取り用薬剤を徐々に溶解しつつ排出するように構成したことを特徴とする。
【０００９】
これらの発明によれば、排水は排水部を介してカバー体の下方に導かれ、ガイド流部によってヌメリ取り容器に導かれる。そして、ヌメリ取り用薬剤を徐々に溶解しつつ排水される。このように、排水はガイド流部によってカバー体の１つのヌメリ取り容器に導かれることで、カバー体上を流れる水に偏りができても、この偏りに関係なく水はヌメリ取り容器に導かれるので、良好にヌメリ取り用薬剤が溶解した水を排水口へと流出させることができる。
【００１０】
本発明に係る排水口用蓋において、前記カバー体の中央部に、前記ヌメリ取り容器が挿通されて装着される取付部を設け、この取付部の前記カバー体の表面側の周縁部が、段状に嵌合部として形成され、前記ヌメリ取り容器が、前記ヌメリ取り用薬剤が詰め替え可能に収容されると共に前記取付部に挿通される収容部と、この収容部の一端部に設けられ、前記嵌合部に嵌合されて前記取付部を閉塞するフランジとからなり、このヌメリ取り容器の収容部を前記カバー体の取付部に挿通させて前記フランジを前記嵌合部に嵌合させることで、前記ヌメリ取り容器が前記カバー体に垂下支持されるように構成されていることが好ましい。また、本発明に係る排水口用蓋において、前記排水部が、半円状に形成されていることが好ましい。
【発明の効果】
【００１１】
以上説明したように本発明に係る排水口用蓋によれば、排水はガイド流部によってカバー体の中央部の１つのヌメリ取り容器に導かれるために、カバー体上を流れる水に偏りができても、この偏りに関係なく水はヌメリ取り容器に導かれるので、ヌメリを良好に抑制することができる。
【発明を実施するための最良の形態】
【００１２】
以下、本発明に係る排水口用蓋を添付図面に基づいて詳述する。
【００１３】
図１及び図２は本発明に係る第１の排水口用蓋の一例を示す図である。図３は本発明に係る蓋本体の一例を示す図である。図４は本発明に係るヌメリ取り容器の一例を示す図である。本発明に係る第１の排水口用蓋は、図１に示すように、排水口１２を閉塞するように装着される蓋本体２と、蓋本体２に着脱可能に取り付けられるヌメリ取り容器３とを備えてヌメリ取り機能を有するものである。
【００１４】
排水口１２としては、特に限定されないが、例えば、流し台１０に設けられているものである。流し台１０としては、特に限定されず、例えば、家庭用流し台や業務用流し台等である。この流し台１０のシンク１１には、排水を行うための排水口１２が設けられている。排水口１２内には、ゴミ等を収集するための網かご１５が収納されている。排水口１２の周縁部のシンク１１は、段状に嵌合段部１３として形成されている。この嵌合段部１３に網かご１５のフランジ１５ａが着座して、網かご１５が排水口１２内に垂下した状態で収容されている。この嵌合段部１３に本発明に係る排水口用蓋１が嵌合されて装着され、排水口１２が閉塞されるようになっている。
【００１５】
本発明に係る第１の排水口用蓋１は、図１及び図２に示すように、排水口１２に覆うように嵌着されるカバー体と、このカバー体に設けられ、排水をカバー体の下方に導くためのガイド流部８を有する排水部４とからなり、カバー体の裏面に、内部にヌメリ取り用薬剤９を収容させると共に、内部に排水を流通させる構造のヌメリ取り容器３を着脱可能に取り付け、排水部４を通った排水がガイド流部８を介してヌメリ取り容器３に導かれ、内部に収容したヌメリ取り用薬剤９を徐々に溶解しつつ排出するように構成したことに特徴がある。
【００１６】
蓋本体２は、図１〜図３に示すように、カバー体であり、排水口１２の嵌合段部１３に嵌合されて装着され得る形状に形成されている。蓋本体２の材料としては、特に限定されないが、撥水性を有する材料、例えば、合成樹脂等が好ましく、具体的には、ポリプロピレン、ポリエチレン、ポリスチレン、ポリカーボネート、フッ素樹脂等が好ましい。また、蓋本体２の表面に、撥水性を有するコーティング材料を被覆するようにしてもよい。
【００１７】
蓋本体２は、嵌合段部１３に嵌合され得る径の円形状に形成されている。蓋本体２の円周端部は、裏面側にその径方向内方に延びた環状に形成されている。この蓋本体２は、網かご１５のフランジ１５ａを介して排水口１２の嵌合段部１３に嵌合されることにより、表面がシンク１１の底面と略同一平面上に位置されるか、その底面より下方、例えば、底面より若干下方に位置され得る形状で形成されていることが好ましい。また、蓋本体２の中央部近傍には、ヌメリ取り容器３が挿通されて装着される取付部２１が設けられている。
【００１８】
蓋本体２は、例えば、貫通すると共に略矩形状（図示例では矩形の４つの角部を斜めに切り欠いた略矩形状）に形成されている。この取付部２１の周縁部の蓋本体２の表面側は、段状に嵌合部２２として形成されている。取付部２１の周縁部の蓋本体２の裏面には、蓋本体２に対して直交する方向に延び、ヌメリ取り容器３をガイドする筒状のガイド２３が設けられている。
【００１９】
排水部４及びガイド流部８は、排水を蓋本体２の裏面の取付部２１方向に導くものである。排水部４は、特に限定されず、例えば、蓋本体２の中央を中心にすなわち略同軸状に半円状に形成されていることが好ましい。この排水部４にガイド流部８が設けられている。
【００２０】
ガイド流部８は、取付部２１に取り付けられたヌメリ取り容器３に排水を導くように案内するものである。ガイド流部８は、例えば、排水部４の外周縁部が蓋本体２の表面側から裏面側に向けて折り曲げられ、さらに、蓋本体２の中央部側に蓋本体２の表面と略平行になるように折り曲げられた略Ｌ字状に形成されている。これにより、シンク１１の底面に落下した水は、シンク１１から排水部４を介してガイド流部８に流れ、ガイド流部８によって蓋本体２の径方向内方に流れが案内される。すなわち、水は、蓋本体２の中央部方向に向かって流れ、取付部２１にヌメリ取り容器３が装着されている場合には、水がヌメリ取り容器３に導かれて内部に収容されたヌメリ取り用薬剤９が水内に徐々に溶解しつつ水が排出されるように構成されている。
【００２１】
ヌメリ取り容器３は、図１、図２及び図４に示すように、例えば、ヌメリ取り用薬剤９が詰め替え可能に収容されると共に、蓋本体２の取付部２１に挿通されて吊り下げ支持されて取り付けられるものである。このヌメリ取り容器３は、ヌメリ取り用薬剤９が詰め替え可能に収容されると共に取付部２１に挿通される収容部３１と、この収容部３１の一端部に設けられ、嵌合部２２に嵌合されて取付部２１を閉塞するフランジ３２とからなることが好ましい。フランジ３２は、嵌合部２２に嵌合して取付部２１を閉塞し得るように矩形の４つの角部を斜めに切り欠いた略矩形の平板状に形成されている。
【００２２】
収容部３１は、例えば、上部がフランジ３２で閉塞された略矩形箱状に形成されている。この収容部３１の側面及び下面には、例えば、細長矩形状の水入出孔３３が多数設けられて、水の流入出が容易に行われるようになっている。
【００２３】
ヌメリ取り容器３は、例えば、２つに分割された第１容器３ａと第２容器３ｂとからなることが好ましい。これら第１容器３ａ及び第２容器３ｂは、例えば、ヒンジ（図示せず）を介して開閉可能に形成されていることが好ましい。また、第１容器３ａ及び第２容器３ｂは、閉じたときロック状に保持するロック部材（図示せず）を設けるようにすることが好ましい。なお、第１容器３ａ及び第２容器３ｂを閉じた状態にロックする手段としては、ロック部材に限定されず、他の手段を用いて行うようにしてもよい。
【００２４】
また、ヌメリ取り容器３の材料としては、特に限定されないが、蓋本体２と同様に、撥水性を有する材料、例えば、合成樹脂等が好ましく、具体的には、ポリプロピレン、ポリエチレン、ポリスチレン、ポリカーボネート、フッ素樹脂等が好ましい。また、フランジ３２の表面に、撥水性を有するコーティング材料を被覆するようにしてもよい。なお、ヌメリ取り容器３としては、ヌメリ取り用薬剤９を詰め替え可能に収容すると共に、ヌメリ取り用薬剤９が排水内に徐々に溶解し得るものであれば特に限定されず、他の構造のものでもよく、例えば、図５、図６及び図８に示すヌメリ取り容器等でもよい。
【００２５】
ヌメリ取り用薬剤９は、水に溶解してヌメリを抑制することができれば特に限定されるものではなく、各種公知の殺菌性、抗菌性、防黴性などを有する薬剤が用いられる。ヌメリ取り用薬剤９は、ヌメリ取り容器３の収容部３１内に収容することができれば特に限定されない。
【００２６】
次に本発明に係る第１の排水口用蓋１の作用を説明する。
【００２７】
ヌメリ取り容器３にヌメリ取り用薬剤９が収容されていない場合には、ヌメリ取り容器３の第１容器３ａと第２容器３ｂとを開いてヌメリ取り容器３内にヌメリ取り用薬剤９を収容する。収容後、第１容器３ａと第２容器３ｂとを閉じてから、このヌメリ取り容器３の先端部を蓋本体２の表面側から取付部２１内に挿入して、ヌメリ取り容器３のフランジ３２を蓋本体２の嵌合部２２に嵌合させて（取付部２１をヌメリ取り容器３で閉塞させて）、ヌメリ取り容器３を蓋本体２に装着する。装着後、図１に示すように、蓋本体２が網かご１５のフランジ１５ａに当接するように排水口１２の嵌合段部１３に排水口用蓋１を嵌合する。これにより、蓋本体２の表面がシンク１１の底面と略同一平面上に位置されるか、その底面より若干下方に位置されるように排水口用蓋１が排水口１２に装着される。
【００２８】
このシンク１１で水を流すと、水はシンク１１から蓋本体２上に流れる。この水は、蓋本体２上から排水部４に流れ、そして、この流れがガイド流部８によって蓋本体２の裏面のヌメリ取り容器３の方向に向かって案内される。すなわち、水は、ヌメリ取り容器３に向かって流れてヌメリ取り容器３内に入り、ヌメリ取り容器３に収容されているヌメリ取り用薬剤９が水内に溶解される。この水がヌメリ取り容器３から排出される。このように、ヌメリ取り用薬剤９が溶解した水が網かご１５及び排水口１２に流れるので、特に網かご１５や排水口１２のヌメリを抑制することができる。このとき、通常、シンク１１の一番低い位置に排水口１２が設けられているために、水は蓋本体２上をその径方向内方に向かって流れやすいために、水をヌメリ取り容器３に確実に導くことができ、ヌメリの抑制を確実に行うことができる。
【００２９】
また、シンク１１から排水口用蓋１上に流れる水の流れに偏りができても、この偏りに関係なく水は、排水部４及びガイド流部８を介して１つのヌメリ取り容器３に常に導かれるので、ヌメリ取り用薬剤９は偏りなく水に溶解する。その結果、頻繁にヌメリ取り用薬剤９を詰め替えることなく、良好にヌメリ取り用薬剤９が溶解した水を網かご１５及び排水口１２へと流出させることができる。
【００３０】
また、ヌメリ取り用薬剤９がなくなったり少なくなったりした場合には、排水口１２の嵌合段部１３から排水口用蓋１を取り出す。この排水口用蓋１のヌメリ取り容器３を蓋本体２の裏面から表面方向に押す。これにより、ヌメリ取り容器３のフランジ３２が蓋本体２の嵌合部２２から離脱し、収容部３１を取付部２１から抜き取ることにより、ヌメリ取り容器３を簡単に蓋本体２から取り出せる。このヌメリ取り容器３の第１容器３ａと第２容器３ｂとを開いて収容部３１にヌメリ取り用薬剤９を収容する。このヌメリ取り容器３を蓋本体２に装着し、この排水口用蓋１を排水口１２の嵌合段部１３に嵌合することにより、ヌメリ取り用薬剤９の詰め替え終了する。従って、本発明に係る第１の排水口用蓋１は、ヌメリ取り用薬剤９の詰め替えを容易に行えることになる。
【００３１】
図５及び図６は本発明に係る第２の排水口用蓋の一例を示す図である。図７は本発明に係る第２の排水口用蓋の蓋本体の一例を示す図である。図４は本発明に係る第２のヌメリ取り容器の一例を示す図である。本発明に係る第２の排水口用蓋は、図５に示すように、排水口１２を閉塞するように装着される縁部材１０５及びカバー体１０６を有する蓋本体１０２と、蓋本体１０２に着脱可能に取り付けられるヌメリ取り容器１０３とを備えてヌメリ取り機能を有するものである。
【００３２】
本発明に係る第２の排水口用蓋１０１は、図５及び図６に示すように、排水口１２に嵌着されるリング状の縁部材１０５と、この縁部材１０５の上部に連結部材１０７を介して取り付けられると共に、縁部材１０５の上部を覆うカバー体１０６と、このカバー体１０６と縁部材１０５との間の連結部材１０７が設けられていない箇所に設けられ、排水をカバー体１０６の下方に導くためのガイド流部１０８を有する排水部１０４とからなり、カバー体１０６の裏面の中央部に、内部にヌメリ取り用薬剤１０９を収容させると共に、内部に排水を流通させる構造のヌメリ取り容器１０３を着脱可能に取り付け、排水部１０４を通った排水がガイド流部１０８を介してヌメリ取り容器１０３に導かれ、内部に収容したヌメリ取り用薬剤１０９を徐々に溶解しつつ排出されるように構成したことに特徴がある。
【００３３】
蓋本体１０２は、図５〜図７に示すように、縁部材１０５とカバー体１０６と連結部材１０７と排水部１０４とガイド流部１０８とを備え、排水口１２の嵌合段部１３に嵌合されて装着され得る形状に形成されている。蓋本体１０２の材料としては、特に限定されないが、撥水性を有する材料、例えば、合成樹脂等が好ましく、具体的には、ポリプロピレン、ポリエチレン、ポリスチレン、ポリカーボネート、フッ素樹脂等が好ましい。また、蓋本体１０２の表面に、撥水性を有するコーティング材料を被覆するようにしてもよい。
【００３４】
縁部材１０５は、嵌合段部１３に嵌合され得る外径の円筒状の円筒部１０５ａと、円筒部１０５ａの上部からその径方向内方に延びた環状のカバー部１０５ｂとで形成されている。円筒部１０５ａの軸方向の長さは、網かご１５のフランジ１５ａを介して排水口１２の嵌合段部１３に嵌合されることにより、カバー部１０５ｂ（及びカバー体１０６）の表面がシンク１１の底面と略同一平面上に位置されるか、その底面より下方、例えば、底面より若干下方に位置され得る寸法で形成されていることが好ましい。カバー部１０５ｂは、環状に形成され、この外周部が円筒部１０５ａの上部に一体的に設けられている。
【００３５】
カバー体１０６は、縁部材１０５のカバー部１０５ｂの開口部を覆うように略円板状に形成されている。カバー体１０６の外径は、カバー部１０５ｂの開口部の径より小さな寸法で形成されている。このカバー体１０６が、連結部材１０７を介して縁部材１０５のカバー部１０５ｂに一体的に形成されている。また、カバー体１０６の中央部には、ヌメリ取り容器１０３が挿通されて装着される取付部１２１が設けられている。
【００３６】
取付部１２１は、例えば、貫通すると共に略矩形状（図示例では矩形の４つの角部を斜めに切り欠いた略矩形状）に形成されている。この取付部１２１の周縁部のカバー体１０６の表面側は、段状に嵌合部２２として形成されている。取付部１２１の周縁部のカバー体１０６の裏面には、カバー体１０６に対して直交する方向に延び、ヌメリ取り容器１０３をガイドする筒状のガイド１２３が設けられている。
【００３７】
排水部１０４は、縁部材１０５のカバー部１０５ｂとカバー体１０６と間であって連結部材１０７が設けられていない箇所に設けられ、排水をカバー体１０６の下方の中央部に導くものである。排水部１０４は、例えば、カバー体１０６の中央を中心にその周方向に円弧状に複数図示例では４つ設けられている。すなわち、排水部１０４は、略円弧状に貫通して形成されていると共に、９０°間隔で４つ設けられている。この排水部１０４の縁部材１０５（カバー部１０５ｂ）の内周縁部にガイド流部１０８が設けられている。
【００３８】
ガイド流部１０８は、排水をカバー体１０６の裏面の略中央部、すなわち、ヌメリ取り容器１０３に導くものである。ガイド流部１０８は、例えば、排水部１０４の外周縁部がカバー体１０６の表面側から裏面側に向けて折り曲げられ、さらに、カバー体１０６の中央部側にカバー体１０６の表面と略平行になるように折り曲げられたＬ字状に形成されている。これにより、シンク１１の底面に落下した水は、シンク１１から排水部１０４を介してガイド流部１０８に流れ、ガイド流部１０８によってカバー体１０６の径方向内方に流れが案内される、すなわち、水は、カバー体１０６の中央部に向かって流れ、取付部１２１にヌメリ取り容器１０３が装着されている場合には、水がヌメリ取り容器１０３に導かれて内部に収容されたヌメリ取り用薬剤１０９が水内に徐々に溶解しつつ水が排出されるように構成されている。
【００３９】
ヌメリ取り容器１０３は、図５、図６及び図８に示すように、例えば、ヌメリ取り用薬剤１０９が詰め替え可能に収容されると共に、カバー体１０６の取付部１２１に挿通されて吊り下げ支持されるものである。このヌメリ取り容器１０３は、ヌメリ取り用薬剤１０９が詰め替え可能に収容されると共に取付部１２１に挿通される収容部１３１と、この収容部１３１の一端部に設けられ、嵌合部１２２に嵌合されて取付部１２１を閉塞するフランジ１３２とからなることが好ましい。フランジ１３２は、嵌合部１２２に嵌合して取付部１２１を閉塞し得るように矩形の４つの角部を斜めに切り欠いた略矩形の平板状に形成されている。
【００４０】
収容部１３１は、例えば、取付部１２１に挿通され得る水平断面略矩形状に形成されていると共に下方が湾曲されている。この収容部１３１は、例えば、網部材により形成されて水の流入出が容易に行われるようになっている。また、収容部１３１の下方には、円柱状の薬剤収容部１３３が設けられている。
【００４１】
ヌメリ取り容器１０３は、例えば、長手方向の中央部で幅方向に２つに分割された第１容器１０３ａと第２容器１０３ｂとからなることが好ましい。すなわち、フランジ１３２が略半分に２つに分割され、これら分割された第１フランジ１３２ａ、第２フランジ１３２ｂの端部近傍の下面に、Ｕ字状の枠部材１３５ａ、１３５ｂが例えば一体的にそれぞれ設けられている。また、収容部１３１も略半分に第１収容部１３１ａと第２収容部１３１ｂとに分割され、これら第１収容部１３１ａと第２収容部１３１ｂとが枠部材１３５ａ、１３５ｂにも支持されている。枠部材１３５ａ、１３５ｂの対向する一方の直線状の枠部材（側部材）がヒンジ部材１３６によって回動可能に連結されて、第１収容部１３１ａと第２収容部１３１ｂとに設けられている薬剤収容部１３３が開閉可能になっており、ヌメリ取り用薬剤１０９が詰め替え可能になる。
【００４２】
また、枠部材１３５ａ、１３５ｂの対向する他方の直線状の枠部材の一方には、係合凸部１３７が例えば２つ設けられていると共に、枠部材１３５ａ、１３５ｂの対向する他方の直線状の枠部材の他方には、第１容器１０３ａと第２容器１０３ｂとを閉じたときに、係合凸部１３７と係合してヌメリ取り容器１０３を閉じた状態に保持する係合凹部１３８が２つ設けられている。また、フランジ１３２及び枠部材１３５ａ、１３５ｂの材料としては、特に限定されないが、蓋本体１０２と同様に、撥水性を有する材料、例えば、合成樹脂等が好ましく、具体的には、ポリプロピレン、ポリエチレン、ポリスチレン、ポリカーボネート、フッ素樹脂等が好ましい。また、フランジ１３２の表面に、撥水性を有するコーティング材料を被覆するようにしてもよい。
【００４３】
ヌメリ取り用薬剤１０９は、水に溶解してヌメリを抑制することができれば特に限定されるものではなく、各種公知の殺菌性、抗菌性、防黴性などを有する薬剤が用いられる。ヌメリ取り用薬剤１０９は、例えば、薬剤収容部１３３より若干径が小さな円柱状の粒剤であってもよいし、この粒剤より小さな粒剤であってもよい。ヌメリ取り用薬剤１０９が小さな粒剤の場合には、多数の粒剤を薬剤収容部１３３に収容し、粒剤がなくなったり少なくなったりした場合には、詰め替えるようにすることが好ましい。
【００４４】
次に本発明に係る第２の排水口用蓋１０１の作用を説明する。
【００４５】
薬剤収容部１３３にヌメリ取り用薬剤１０９が収容されていない場合には、ヌメリ取り容器１０３の第１容器１０３ａと第２容器１０３ｂとを開いて薬剤収容部１３３にヌメリ取り用薬剤１０９を収容する。収容後、第１容器１０３ａと第２容器１０３ｂとを閉じてから、このヌメリ取り容器１０３の湾曲した先端部を蓋本体１０２の表面側から取付部１２１内に挿入して、ヌメリ取り容器１０３のフランジ１３２を蓋本体１０２の嵌合部１２２に嵌合させて（取付部１２１をヌメリ取り容器１０３で閉塞させて）、ヌメリ取り容器１０３をカバー体１０６に装着する。装着後、縁部材１０５が網かご１５のフランジ１５ａに当接するように図５に示すように排水口１２の嵌合段部１３に排水口用蓋１０１を嵌合する。これにより、カバー体１０６の表面がシンク１１の底面と略同一平面上に位置されるか、その底面より若干下方に位置されるように第２の排水口用蓋１０１が排水口１２に装着される。
【００４６】
このシンク１１で水を流すと、水はシンク１１から縁部材１０５やカバー体１０６上に流れる。この水は、縁部材１０５やカバー体１０６から排水部１０４に流れ、そして、この流れがガイド流部１０８によってカバー体１０６の径方向内方（カバー体１０６の中央部）に向かって案内される。すなわち、水が、ヌメリ取り容器１０３に向かって流れてヌメリ取り容器１０３内を水が流れ、ヌメリ取り容器１０３に収容されているヌメリ取り用薬剤１０９が水内に溶解される。この水が網かご１５を介して排水口１２から排出される。このように、ヌメリ取り用薬剤１０９が溶解した水が網かご１５及び排水口１２に流れるので、特に網かご１５や排水口１２のヌメリを抑制することができる。このとき、通常、シンク１１の一番低い位置に排水口１２が設けられているために、水は蓋本体１０２上をその径方向内方に向かって流れやすいために、水をヌメリ取り容器１０３に確実に導くことができ、ヌメリの抑制を確実に行うことができる。
【００４７】
また、シンク１１から排水口用蓋１０１上に流れる水は、水量にもよるが４つの排水部に均一に流れることはなく、水が流れやすい箇所と流れにくい箇所ができる、すなわち、排水口用蓋１０１上を流れる水に偏りができる。このように、水の流れに偏りができても、この偏りに関係なく水は、排水部１０４及びガイド流部１０８を介して１つのヌメリ取り容器１０３に常に導かれるので、ヌメリ取り用薬剤１０９は偏りなく水に溶解する。その結果、頻繁にヌメリ取り用薬剤１０９を詰め替えることなく、良好にヌメリ取り用薬剤９が溶解した水を網かご１５及び排水口１２へと流出させることができる。
【００４８】
また、ヌメリ取り用薬剤１０９がなくなったり少なくなったりした場合には、排水口１２の嵌合段部１３から排水口用蓋１０１を取り出す。この排水口用蓋１０１のヌメリ取り容器１０３をカバー体１０６の裏面から表面方向に押す。これにより、ヌメリ取り容器１０３のフランジ１３２が蓋本体１０２の嵌合部１２２から離脱し、収容部１３１を取付部１２１から抜き取ることにより、ヌメリ取り容器１０３を簡単にカバー体１０６から取り出せる。このヌメリ取り容器１０３の第１容器１０３ａと第２容器１０３ｂとを開いて薬剤収容部１３３にヌメリ取り用薬剤１０９を収容する。このヌメリ取り容器１０３をカバー体１０６に装着し、この排水口用蓋１０１を排水口１２の嵌合段部１３に嵌合することにより、ヌメリ取り用薬剤１０９の詰め替え終了する。従って、本発明に係る第２の排水口用蓋１０１は、ヌメリ取り用薬剤１０９の詰め替えを容易に行えることになる。
【産業上の利用可能性】
【００４９】
以上説明したように本発明に係る排水口用蓋は、排水はガイド流部によってカバー体の１つのヌメリ取り容器に導かれるために、カバー体上を流れる水に偏りができても、この偏りに関係なく水はヌメリ取り容器に導かれるので、ヌメリを良好に抑制することができることから、家庭用に限定されず業務用としても有用なものである。
【図面の簡単な説明】
【００５０】
【図１】本発明に係る第１の排水口用蓋の一例を示す断面図である。
【図２】本発明に係る第１の排水口用蓋の一例を示す図で、（ａ）は側面図、（ｂ）は平面図、（ｃ）は正面図である。
【図３】本発明に係る蓋本体の一例を示す斜視図である。
【図４】本発明に係る第１のヌメリ取り容器の一例を示す図で、（ａ）は正面図、（ｂ）は側面図、（ｃ）は底面図である。
【図５】本発明に係る第２の排水口用蓋の一例を示す断面図である。
【図６】本発明に係る第２の排水口用蓋の一例を示す図で、（ａ）は平面図、（ｂ）は正面図である。
【図７】本発明に係る第２の蓋本体の一例を示す図で、（ａ）は平面図、（ｂ）は正面図、（ｃ）は（ａ）中のＡ−Ａ線矢視断面図、（ｄ）は（ａ）中のＢ−Ｂ線矢視断面図、（ｅ）は（ａ）中のＣ−Ｃ線矢視断面図である。
【図８】本発明に係る第２のヌメリ取り容器の一例を示す図で、（ａ）は斜視図、（ｂ）は開いた状態を示す図である。
【符号の説明】
【００５１】
１  排水口用蓋
２  蓋本体
３  ヌメリ取り容器
４  排水部
８  ガイド流部
９  ヌメリ取り用薬剤
１０  流し台
１１  シンク
１２  排水口
２１  取付部
２２  嵌合部
３１  収容部
３２  フランジ
３３  水入出孔
１０１  排水口用蓋
１０２  蓋本体
１０３  ヌメリ取り容器
１０４  排水部
１０５  縁部材
１０６  カバー体
１０７  連結部材
１０８  ガイド流部
１０９  ヌメリ取り用薬剤
【図１】
2008088764.tif 000003
【図２】
2008088764.tif 000004
【図３】
2008088764.tif 000005
【図４】
2008088764.tif 000006
【図５】
2008088764.tif 000007
【図６】
2008088764.tif 000008
【図７】
2008088764.tif 000009
【図８】
2008088764.tif 000010